(57)【要約】      （修正有）【課題】各郵便ポストに投函された郵便物の数量を迅速、かつ正確に統計でき、郵便物の数量と集配作業を効果的に監督、制御することができる郵便物カウント装置を提供する。【解決手段】少なくとも１個のコンピューターユニット、少なくとも１個のデータ収集ユニット２０、少なくとも１個の感応記録ユニット３０を備え、感応記録ユニット３０は通過する郵便物５０の数量を計測可能で、しかもカウントの結果を接続するデータ収集ユニット２０に同期に伝送することができ、データ収集ユニット２０を通して、カウント結果をリアエンドのコンピューターユニットに伝送し、後続の処理と応用を行なうことができる。【選択図】図２
0003152718.tif 000002
【実用新案登録請求の範囲】
【請求項１】
少なくとも１個のコンピューターユニット、少なくとも１個のデータ収集ユニット、少なくとも１個の感応記録ユニットを備え、
前記各データ収集ユニットは、前記コンピューターユニットにそれぞれ対応して接続し、前記各感応記録ユニットは、前記データ収集ユニットにそれぞれ対応して接続し、前記感応記録ユニットは、郵便ポストに設置する感応回路を備え、前記感応回路は、前記郵便ポストに投函される各郵便物を検知することができ、カウント結果を前記データ収集ユニットに伝送することを特徴とする郵便物カウント装置。
【請求項２】
前記感応記録ユニットは、マイクロプロセッサーを備え、しかも前記マイクロプロセッサーは、郵便物を検知する感応回路を接続し、また前記マイクロプロセッサーは、駆動回路を通して、表示操作インターフェースに接続することを特徴とする請求項１に記載の郵便物カウント装置。
【請求項３】
前記感応回路は、発射回路と受信回路を備えることを特徴とする請求項１に記載の郵便物カウント装置。
【請求項４】
前記感応回路は、光電スイッチ、インチングスイッチなどから選択することを特徴とする請求項１或いは２に記載の郵便物カウント装置。
【請求項５】
前記マイクロプロセッサーは、通信インターフェースを通して、前記データ収集ユニットに接続し、カウントした数量などの操作情報を、前記データ収集ユニットに伝送することを特徴とする請求項１に記載の郵便物カウント装置。
【請求項６】
前記マイクロプロセッサーと前記データ収集ユニットとの間には、電圧安定回路を設置し、回路システムの電圧と電流の安定を確保することを特徴とする請求項１或いは５に記載の郵便物カウント装置。
【考案の詳細な説明】
【技術分野】
【０００１】
本考案は郵便物のカウント技術に関し、特に迅速かつ正確に数量をカウント可能で、これにより人手を節減し、後続の管理、制御、処理、応用に便利な郵便物カウント装置に関する。
【背景技術】
【０００２】
一般に、郵便配達会社の集配地点は、それが多ければ多いほど、顧客はより便利に郵便物を投函し、また迅速に郵便物を受け取ることができる。これにより、その郵便配達会社に郵便物の配達を委託しようとの考えが生まれるため、該郵便配達会社の業績は向上する。郵便配達会社は輸送コストを低下させ、利益を上げるため、輸送郵便物の数量の統計と整理に関して完璧にコントロールする必要がある。例えば、近隣の地点の郵便物をまとめることで、車両が空で、或いは十分な量の郵便物を搭載せずに輸送するような無駄を省くことができる。
【０００３】
よって、各区域の集配地点の郵便物数の統計が、迅速、かつ正確にコントロールセンターに報告されるか否かは、ソースを十分に活用できているかどうかのカギとなり、さらにはこれによりコストを低下させ、利益を増加させる効果を達成することができる。伝統的には、郵便物の数量の統計は、主に手動式カウンターにより人手で行なわれて来た。通常は、郵便物が郵便ポスト内に一定程度まで溜まるのを待ち、作業人員が逐一計算していたが、その速度は極めて緩慢で、しかも正確な郵便物の数量を即時に把握することができないため、しばしば誤差が発生していた。さらに、そのカウントのタイミングが一定していないため、各区域の集配地点の状況をコントロールセンターは効果的に把握することができなかった。そのため、郵便物収集車は発車後に、郵便物が既に集まっている近隣の集配地点に、道なりに郵便物を受け取りに行くことができず、別に収集車を向かわせ、また郵便物の受け取りが遅れるなどのソースの浪費が起きており、作業コストを高騰させ、これによって、配達の利益を低下させている。
【０００４】
すなわち、即時、かつ正確に郵便物の数量を計算することができ、カウント結果を迅速に処理センターに伝送し、後続の応用と処理を行なうことができれば、不要なソースの浪費を必ず低減でき、配達の利益を高めることができるはずである。本考案は、従来の郵便物カウント技術の上記した欠点に鑑みてなされたものである。
【考案の概要】
【考案が解決しようとする課題】
【０００５】
本考案が解決しようとする課題は、迅速かつ正確に郵便物の数量をカウント可能で、カウント結果を即時に処理センターに伝送し、後続の応用と処理を行なうことができる郵便物カウント装置を提供することである。
【課題を解決するための手段】
【０００６】
上記課題を解決するため、本考案は下記の郵便物カウント装置を提供する。
郵便物カウント装置は、少なくとも１個のコンピューターユニット、少なくとも１個のデータ収集ユニット、少なくとも１個の感応記録ユニットを備え、
該各データ収集ユニットは、該コンピューターユニットにそれぞれ対応して接続し、
該各感応記録ユニットは、該データ収集ユニットにそれぞれ対応して接続し、該感応記録ユニットは、郵便ポストに設置する感応回路を備え、該感応回路は、該郵便ポストに投函される各郵便物を検知することができ、カウント結果を該データ収集ユニットに伝送することができる。
【考案の効果】
【０００７】
本考案を応用する郵便物処理センターは、各郵便ポストに投函された郵便物の数量を迅速、かつ正確に統計でき、しかもリアエンドでの処理を経た後には、郵便物の数量と集配作業を効果的に監督、制御することができる。
【図面の簡単な説明】
【０００８】
【図１】本考案郵便物カウント装置のシステム構造概略図である。
【図２】本考案郵便物カウント装置中の感応レコーダーの回路構造概略図である。
【図３】本考案郵便物カウント装置中の感応レコーダーの回路配置概略図である。
【図４】本考案郵便物カウント装置の使用状態概略図である。
【考案を実施するための形態】
【０００９】
以下に図面を参照しながら本考案を実施するための最良の形態について詳細に説明する。
【実施例】
【００１０】
本考案は郵便ポスト内に投函される郵便物の数量を計算することができる郵便物カウント装置で、図１に示すように、少なくとも１個のコンピューターユニット１０を備える。各コンピューターユニット１０は、少なくとも１個のデータ収集ユニット２０、及び各データ収集ユニット２０が接続する少なくとも１個の感応記録ユニット３０を備える。コンピューターユニット１０は、それが接続するデータ収集ユニット２０のデータを収集、演算、応用、処理し、インターネットを通して、コントロールセンターにより統合使用が可能で、データ収集ユニット２０は、それが接続する感応記録ユニット３０の統計データを収集する。
【００１１】
本考案郵便物カウント装置中の感応レコーダーの回路構造概略図である図２、本考案郵便物カウント装置中の感応レコーダーの回路配置概略図である図３に示すように、感応記録ユニット３０は、マイクロプロセッサー３１を備え、しかもマイクロプロセッサー３１は、郵便物５０を検知する感応回路３２を接続する。感応回路３２は、発射回路３２１と受信回路３２２を備える。感応回路３２は、光電スイッチ、インチングスイッチなどで、感応回路３２を通過する郵便物５０を即時に検知することができる。マイクロプロセッサー３１は、駆動回路３３を通して、表示操作インターフェース３４に接続し、カウントした郵便物５０の数量を表示する。しかも、表示操作インターフェース３４は、カウントリセット、カウント停止、再カウントなどの操作を提供することができ、カウントした数量を即時に表示することができる。さらに、感応記録ユニット３０のマイクロプロセッサー３１は、通信インターフェース３５を通してデータ収集ユニット２０に接続し、カウントした数量などの操作情報を、データ収集ユニット２０とコンピューターユニット１０に伝送する。データ収集ユニット２０は、電圧安定回路３６とマイクロプロセッサー３１との接続を通して、回路システムの電圧と電流の安定を確保し、その使用寿命を延長して、誤作動を防止することができる。
【００１２】
こうして、郵便物５０のカウントを迅速、しかも正確に行なうことができる郵便物カウント装置を構成する。
【００１３】
図１、２、４に示すように、本考案の実際の運用時には、各郵便ポスト４０上に感応記録ユニット３０中の感応回路３２を設置する。しかも、感応回路３２は、郵便ポスト４０中の郵便物５０を検知可能なルート上に設置する。これにより、郵便物５０が郵便ポスト４０に投函されると、感応記録ユニット３０の感応回路３２を通して検知しカウントされ、マイクロプロセッサー３１を経由後、直ちに表示操作インターフェース３４に表示される。同時に、このカウント結果を、データ収集ユニット２０へと伝送し、しかもコンピューターユニット１０へと送り統合する。これにより、コンピューターユニット１０は、カウントしたデータを収集、演算、応用、処理し、インターネットを通して、コントロールセンターにより統合して使用する。
【００１４】
各区域の郵便ポスト４０の郵便物５０の数量を統計し、迅速、かつ正確にコントロールセンターに報告することができるため、ソースは十分にその力を発揮し、運用され、コントロールセンターは書く区域の集配地点の状況を効果的に把握することができる。これにより、収集車の派遣が効率的となり、郵便物収集のタイミングを逃すこともなくなり、無形の内に作業コストを低下させ、配達業務の利益を高めることができる。
【産業上の利用可能性】
【００１５】
本考案は機能と効果を大きく増進させ、該技術領域では、相同或いは近似の製品、考案は未見で、或いは公開、使用されていない。さらに本考案は実用新案の要件である新規性を備え、十分な進歩性を有し、実用性が高く、社会のニーズに合致しており、産業上の利用価値は非常に大きい。
【符号の説明】
【００１６】
１０  コンピューターユニット
２０  データ収集ユニット
３０  感応記録ユニット
３１  マイクロプロセッサー
３２  感応回路
３２１  発射回路
３２２  受信回路
３３  駆動回路
３４  表示操作インターフェース
３５  通信インターフェース
３６  電圧安定回路
４０  郵便ポスト
５０  郵便物
【図１】
0003152718.tif 000003
【図２】
0003152718.tif 000004
【図３】
0003152718.tif 000005
【図４】
0003152718.tif 000006
【手続補正書】
【提出日】平成21年5月7日(2009.5.7)
【手続補正１】
【補正対象書類名】実用新案登録請求の範囲
【補正対象項目名】請求項５
【補正方法】変更
【補正の内容】
【請求項５】
マイクロプロセッサーは、通信インターフェースを通して、前記データ収集ユニットに接続し、カウントした数量などの操作情報を、前記データ収集ユニットに伝送することを特徴とする請求項１に記載の郵便物カウント装置。
【手続補正２】
【補正対象書類名】実用新案登録請求の範囲
【補正対象項目名】請求項６
【補正方法】変更
【補正の内容】
【請求項６】
マイクロプロセッサーと前記データ収集ユニットとの間には、電圧安定回路を設置し、回路システムの電圧と電流の安定を確保することを特徴とする請求項１或いは５に記載の郵便物カウント装置。
【手続補正書】
【提出日】平成21年6月8日(2009.6.8)
【手続補正１】
【補正対象書類名】実用新案登録請求の範囲
【補正対象項目名】請求項５
【補正方法】変更
【補正の内容】
【請求項５】
前記マイクロプロセッサーは、通信インターフェースを通して、前記データ収集ユニットに接続し、カウントした数量などの操作情報を、前記データ収集ユニットに伝送することを特徴とする請求項２に記載の郵便物カウント装置。
【手続補正２】
【補正対象書類名】実用新案登録請求の範囲
【補正対象項目名】請求項６
【補正方法】変更
【補正の内容】
【請求項６】
前記マイクロプロセッサーと前記データ収集ユニットとの間には、電圧安定回路を設置し、回路システムの電圧と電流の安定を確保することを特徴とする請求項２或いは５に記載の郵便物カウント装置。